(57)【要約】      （修正有）【課題】ＥＴＷＳ情報の配信が行われる場合に適切にアクセスバーストの発生を抑制する。【解決手段】移動局ＵＥは、無線基地局ｅＮＢによって送信されるＰａｇｉｎｇを受信するように構成されているページング信号受信部と、ＳＩＢ１〜ＳＩＢ１１を受信するように構成されている報知情報受信部とを具備しており、ページング信号受信部が、受信したＰａｇｉｎｇ内に「ＥＴＷＳ  Ｉｎｄｉｃａｔｉｏｎ  ＩＥ（ＴＲＵＥ）」が含まれていることを検出した場合、報知情報受信部は、次の「Ｍｏｄｉｆｉｃａｔｉｏｎ  Ｐｅｒｉｏｄ」の到来を待たずに、更新されたＡＣＢ情報を含むＳＩＢ２を取得するように構成されている。【選択図】図３
2014135596.tif 000002
【特許請求の範囲】
【請求項１】
無線基地局が各変更期間において同一の報知情報を繰り返し報知するように構成されている移動通信システムで用いられる移動局であって、
前記無線基地局によって送信されるページング信号を受信するように構成されているページング信号受信部と、
前記報知情報を受信するように構成されている報知情報受信部とを具備しており、
前記ページング信号受信部が、受信した前記ページング信号内に緊急情報を送信する旨を示す指示情報が含まれていることを検出した場合、前記報知情報受信部は、次の変更期間の到来を待たずに、更新したアクセス規制情報を含む前記報知情報を取得するように構成されていることを特徴とする移動局。
【請求項２】
各変更期間において同一の報知情報を繰り返し報知するように構成されている送信部を具備し、
緊急情報を送信するように指示するメッセージが受信された場合、前記送信部は、ページング信号によって前記緊急情報を送信する旨を示す指示情報を送信し、次の変更期間の到来を待たずに更新されたアクセス規制情報を前記報知情報によって報知するように構成されていることを特徴とする無線基地局。
【請求項３】
前記送信部は、前記指示情報を送信する際に、前記ページング信号によって次の変更期間において前記報知情報を更新することを示す情報を送信するように構成されていることを特徴とする請求項２に記載の無線基地局。
【請求項４】
前記送信部は、前記指示情報を送信する際に、前記報知情報が更新されるたびに更新されるタグ情報を更新するように構成されていることを特徴とする請求項２又は３に記載の無線基地局。
【請求項５】
前記送信部は、前記指示情報を送信する際に、前記報知情報が更新されるたびに更新されるタグ情報を更新しないように構成されていることを特徴とする請求項２又は３に記載の無線基地局。
【発明の詳細な説明】
【技術分野】
【０００１】
本発明は、移動局及び無線基地局に関する。
【背景技術】
【０００２】
ＬＴＥ（Ｌｏｎｇ  Ｔｅｒｍ  Ｅｖｏｌｕｔｉｏｎ）方式では、ＥＴＷＳ（Ｅａｒｔｈｑｕａｋｅ  Ｔｓｕｎａｍｉ  Ｗａｒｎｉｎｇ  Ｓｙｓｔｅｍ）情報の配信方法について規定されている。
【０００３】
ここで、ＥＴＷＳ情報が配信された後、アプリケーションやユーザの動作に基づいて、「ＲＲＣ_Ｉｄｌｅ状態」の移動局ＵＥが「ＲＲＣ_Ｃｏｎｎｅｃｔｅｄ状態」に遷移することに起因するアクセスバーストが生じるケースが多く見られる。
【０００４】
かかるアクセスバーストが、無線アクセスネットワーク（無線基地局ｅＮＢ）の輻輳を引き起こす原因となっている。
【先行技術文献】
【非特許文献】
【０００５】
【非特許文献１】３ＧＰＰ  ＴＳ３６.３３１
【発明の概要】
【発明が解決しようとする課題】
【０００６】
ＥＴＷＳ情報の配信は、ネットワーク側で決めるものであるため、ネットワーク側で、かかるアクセスバーストの発生を抑制することができるはずであるが、実際には、以下の原因で、適切にアクセスバーストの発生を抑御することができないという問題点があった。
【０００７】
具体的には、ＥＴＷＳ情報は、ＳＩＢ（Ｓｙｓｔｅｍ  Ｉｎｆｏｒｍａｔｉｏｎ  Ｂｌｏｃｋ）１０/１１によって報知されており、ＡＣＢ（Ａｃｃｅｓｓ  Ｃｌａｓｓ  Ｂａｒｒｉｎｇ）情報は、ＳＩＢ２によって報知されている。
【０００８】
図７に示すように、移動局ＵＥは、Ｐａｇｉｎｇによって「ＥＴＷＳ  Ｉｎｄｉｃａｔｉｏｎ  ＩＥ（ＴＲＵＥ）」を受信すると、次の「Ｍｏｄｉｆｉｃａｔｉｏｎ  Ｐｅｒｉｏｄ」の到来を待たずに、ＳＩＢ１を読み、ＳＩＢ１に含まれている「Ｓｃｈｅｄｕｌｉｎｇ  Ｉｎｆｏ  Ｌｉｓｔ  ＩＥ」に従って、ＳＩＢ１０/１１を読み、ＳＩＢ１０/１１に含まれているＥＴＷＳ情報を取得する。
【０００９】
一方、移動局ＵＥは、Ｐａｉｎｇによって「ＳＩｍｏｄｉｆｉｃａｔｉｏｎ  ＩＥ（ＴＲＵＥ）」を受信すると、次の「Ｍｏｄｉｆｉｃａｔｉｏｎ  Ｐｅｒｉｏｄ」において、ＳＩＢ１を読み、ＳＩＢ１に含まれている「Ｓｈｅｄｕｌｉｎｇ  Ｉｎｆｏ  Ｌｉｓｔ  ＩＥ」に従って、ＳＩＢ２を読み、ＳＩＢ２に含まれているＡＣＢ情報を取得する。
【００１０】
したがって、移動局ＵＥは、Ｐａｇｉｎｇによって「ＥＴＷＳ  Ｉｎｄｉｃａｔｉｏｎ  ＩＥ（ＴＲＵＥ）」を受信した場合に、現在の「Ｍｏｄｉｆｉｃａｔｉｏｎ  Ｐｅｒｉｏｄ」において、ＥＴＷＳ情報について取得することができるが、ＡＣＢ情報については取得することができないため、適切に、上述のアクセスバーストの発生を抑御することができないという問題点があった。
【００１１】
そこで、本発明は、上述の課題に鑑みてなされたものであり、ＥＴＷＳ情報の配信が行われる場合に適切にアクセスバーストの発生を抑制することができる移動局及び無線基地局を提供することを目的とする。
【課題を解決するための手段】
【００１２】
本発明の第１の特徴は、無線基地局が各変更期間において同一の報知情報を繰り返し送信するように構成されている移動通信システムで用いられる移動局であって、前記無線基地局によって送信されるページング信号を受信するように構成されているページング信号受信部と、前記報知情報を受信するように構成されている報知情報受信部とを具備しており、前記ページング信号受信部が、受信した前記ページング信号内に緊急情報を送信する旨を示す指示情報が含まれていることを検出した場合、前記報知情報受信部は、次の変更期間の到来を待たずに、更新されたアクセス規制情報を含む前記報知情報を取得するように構成されていることを要旨とする。
【００１３】
本発明の第２の特徴は、無線基地局であって、各変更期間において同一の報知情報を繰り返し報知するように構成されている送信部を具備し、緊急情報を送信するように指示するメッセージが受信された場合、前記送信部は、ページング信号によって前記緊急情報を送信する旨を示す指示情報を送信し、次の変更期間の到来を待たずに更新されたアクセス規制情報を前記報知情報によって報知するように構成されていることを要旨とする。
【発明の効果】
【００１４】
以上説明したように、本発明によれば、ＥＴＷＳ情報の配信が行われる場合に適切にアクセスバーストの発生を抑制することができる移動局及び無線基地局を提供することができる。
【図面の簡単な説明】
【００１５】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムにおけるＳＩＢの更新方法について説明するための図である。
【図４】本発明の第１の実施形態に係る移動局の機能ブロック図である。
【図５】本発明の第１の実施形態に係る移動局の動作を示すフローチャートである。
【図６】本発明の第１の実施形態に係る無線基地局の動作を示すフローチャートである。
【図７】従来技術を説明するための図である。
【発明を実施するための形態】
【００１６】
（本発明の第１の実施形態に係る移動通信システム）
図１乃至図６を参照して、本発明の第１の実施形態に係る移動通信システムについて説明する。
【００１７】
本実施形態に係る移動通信システムは、ＬＴＥ方式の移動通信システムであって、図１に示すように、移動管理ノードＭＭＥ（Ｍｏｂｉｌｉｔｙ  Ｍａｎａｇｅｍｅｎｔ  Ｅｎｔｉｔｙ）や、無線基地局ｅＮＢ等を具備している。
【００１８】
図２に示すように、本実施形態に係る無線基地局ｅＮＢは、受信部１１と、送信部１２とを具備している。
【００１９】
受信部１１は、移動局ＵＥや移動管理ノードＭＭＥから、各種信号を受信するように構成されており、送信部１２は、移動局ＵＥや移動管理ノードＭＭＥに対して、各種信号を送信するように構成されている。
【００２０】
例えば、送信部１２は、無線基地局ｅＮＢ配下のセル内の移動局ＵＥに対して、Ｐａｇｉｎｇを送信するように構成されている。
【００２１】
また、図３に示すように、送信部１２は、無線基地局ｅＮＢ配下のセル内で、各「Ｍｏｄｉｆｉｃａｔｉｏｎ  Ｐｅｒｉｏｄ」において同一のＳＩＢ１〜ＳＩＢ１１を繰り返し送信するように構成されている。
【００２２】
具体的には、受信部１１が、移動管理ノードＭＭＥからＳ１-ＡＰメッセージである「ＥＴＷＳ  Ｗａｒｎｉｎｇ  Ｍｅｓｓａｇｅ」を受信した場合、送信部１２は、Ｐａｇｉｎｇによって「ＥＴＷＳ  Ｉｎｄｉｃａｔｉｏｎ  ＩＥ（ＴＲＵＥ）」を送信し、次の「Ｍｏｄｉｆｉｃａｔｉｏｎ  Ｐｅｒｉｏｄ」の到来を待たずに、ＳＩＢ１０/ＳＩＢ１１によってＥＴＷＳ情報を報知すると共に、更新されたＡＣＢ情報をＳＩＢ２によって報知するように構成されている。
【００２３】
ここで、「ＥＴＷＳ  Ｗａｒｎｉｎｇ  Ｍｅｓｓａｇｅ」は、緊急情報を送信するように指示するメッセージである。
【００２４】
かかる場合、送信部１２は、ＳＩＢ２内のＡＣＢ情報のみを更新するように構成されていてもよいし、ＳＩＢ２内の他の情報を更新するように構成されていてもよい。
【００２５】
また、送信部１２は、上述の「ＥＴＷＳ  Ｉｎｄｉｃａｔｉｏｎ  ＩＥ（ＴＲＵＥ）」を送信する際に、Ｐａｇｉｎｇによって「Ｓｙｓｔｅｍ  Ｉｎｆｏ  Ｍｏｄｉｆｉｃａｔｉｏｎ  ＩＥ（ＴＲＵＥ）」を送信するように構成されていてもよい。
【００２６】
ここで、「Ｓｙｓｔｅｍ  Ｉｎｆｏ  Ｍｏｄｉｆｉｃａｔｉｏｎ  ＩＥ（ＴＲＵＥ）」は、次の「Ｍｏｄｉｆｉｃａｔｉｏｎ  Ｐｅｒｉｏｄ」においてＳＩＢ１〜ＳＩＢ１１を変更することを示す情報である。
【００２７】
また、送信部１２は、上述の「ＥＴＷＳ  Ｉｎｄｉｃａｔｉｏｎ」を送信する際に、「Ｓｙｓｔｅｍ  Ｉｎｆｏ  Ｖａｌｕｅ  Ｔａｇ」を更新するように構成されていてもよい。
【００２８】
ここで、「Ｓｙｓｔｅｍ  Ｉｎｆｏ  Ｖａｌｕｅ  Ｔａｇ」は、ＳＩＢ１〜ＳＩＢ１１の内容が更新されるたびに更新されるタグ情報である。
【００２９】
一方、送信部１２は、「ＥＴＷＳ  Ｉｎｄｉｃａｔｉｏｎ」を送信する際に、「Ｓｙｓｔｅｍ  Ｉｎｆｏ  Ｖａｌｕｅ  Ｔａｇ」を更新しないように構成されていてもよい。
【００３０】
図４に示すように、本実施形態に係る移動局ＵＥは、ページング信号受信部２１と、報知情報受信部２２とを具備している。
【００３１】
ページング信号受信部２１は、無線基地局ｅＮＢによって送信されるＰａｇｉｎｇを受信するように構成されている。
【００３２】
例えば、ページング信号受信部２１は、Ｐａｇｉｎｇを介して、「ＥＴＷＳ  Ｉｎｄｉｃａｔｉｏｎ  ＩＥ（ＴＲＵＥ）」や「Ｓｙｓｔｅｍ  Ｉｎｆｏ  Ｍｏｄｉｆｉｃａｔｉｏｎ  ＩＥ（ＴＲＵＥ）等を取得するように構成されている。
【００３３】
報知情報受信部２２は、無線基地局ｅＮＢによって各「Ｍｏｄｉｆｉｃａｔｉｏｎ  Ｐｅｒｉｏｄ」において繰り返し送信されているＳＩＢ１〜ＳＩＢ１１を受信するように構成されている。
【００３４】
ページング信号受信部２１が、受信したＰａｇｉｎｇ内に「ＥＴＷＳ  Ｉｎｄｉｃａｔｉｏｎ  ＩＥ（ＴＲＵＥ）」が含まれていることを検出した場合、報知情報受信部２２は、次の「Ｍｏｄｉｆｉｃａｔｉｏｎ  Ｐｅｒｉｏｄ」の到来を待たずに、ＥＴＷＳ情報を含むＳＩＢ１０/１１を取得すると共に、更新されたＡＣＢ情報を含むＳＩＢ２を取得するように構成されている。
【００３５】
なお、従来の移動局ＵＥ（本実施形態に係る発明の機能を具備していない移動局ＵＥ）は、受信したＰａｇｉｎｇ内に「ＥＴＷＳ  Ｉｎｄｉｃａｔｉｏｎ  ＩＥ（ＴＲＵＥ）」が含まれていることを検出した場合、次の「Ｍｏｄｉｆｉｃａｔｉｏｎ  Ｐｅｒｉｏｄ」において、更新されたＡＣＢ情報を含むＳＩＢ２を取得するように構成されている。
【００３６】
以下、図５及び図６を参照して、本実施形態に係る移動通信システムの動作について説明する。
【００３７】
第１に、図５を参照して、本実施形態に係る移動局ＵＥの動作について説明する。
【００３８】
図５に示すように、本実施形態に係る移動局ＵＥは、ステップＳ１０２において、Ｐａｇｉｎｇを介して「ＥＴＷＳ  Ｉｎｄｉｃａｔｉｏｎ  ＩＥ（ＴＲＵＥ）」を受信すると、ステップＳ１０３において、次の「Ｍｏｄｉｆｉｃａｔｉｏｎ  Ｐｅｒｉｏｄ」の到来を待たずに、現在の「Ｍｏｄｉｆｉｃａｔｉｏｎ  Ｐｅｒｉｏｄ」において、ＥＴＷＳ情報を含むＳＩＢ１０/１１を取得すると共に、更新されたＡＣＢ情報を含むＳＩＢ２を取得する。
【００３９】
一方、本実施形態に係る移動局ＵＥは、ステップＳ１０２において、Ｐａｇｉｎｇを介して「ＥＴＷＳ  Ｉｎｄｉｃａｔｉｏｎ  ＩＥ（ＴＲＵＥ）」を受信せず、ステップＳ１０４において、Ｐａｇｉｎｇを介して「Ｓｙｓｔｅｍ  Ｉｎｆｏ  Ｍｏｄｉｆｉｃａｔｉｏｎ  ＩＥ（ＴＲＵＥ）」を受信すると、ステップＳ１０５において、次の「Ｍｏｄｉｆｉｃａｔｉｏｎ  Ｐｅｒｉｏｄ」において、更新されている全てのＳＩＢ１〜ＳＩＢ１１を取得する。
【００４０】
また、本実施形態に係る発明の機能を具備していない移動局ＵＥは、ステップＳ１０６において、Ｐａｇｉｎｇを介して「ＥＴＷＳ  Ｉｎｄｉｃａｔｉｏｎ  ＩＥ（ＴＲＵＥ）」を受信し、かつ、ステップＳ１０７において、Ｐａｇｉｎｇを介して「Ｓｙｓｔｅｍ  Ｉｎｆｏ  Ｍｏｄｉｆｉｃａｔｉｏｎ  ＩＥ（ＴＲＵＥ）」を受信すると、ステップＳ１０８において、次の「Ｍｏｄｉｆｉｃａｔｉｏｎ  Ｐｅｒｉｏｄ」において、更新されている全てのＳＩＢ１〜ＳＩＢ１１を取得する。
【００４１】
第２に、図６を参照して、本実施形態に係る無線基地局ｅＮＢの動作について説明する。
【００４２】
図６に示すように、無線基地局ｅＮＢは、ステップＳ２０１において、移動管理ノードＭＭＥから「ＥＴＷＳ  Ｗａｒｎｉｎｇ  Ｍｅｓｓａｇｅ」を受信すると、次の「Ｍｏｄｉｆｉｃａｔｉｏｎ  Ｐｅｒｉｏｄ」の到来を待たずに、現在の「Ｍｏｄｉｆｉｃａｔｉｏｎ  Ｐｅｒｉｏｄ」において、ＥＴＷＳ情報をＳＩＢ１０/ＳＩＢ１１に設定して報知し（ステップＳ２０２）、ＡＣＢ情報を更新してＳＩＢ２によって報知する（ステップＳ２０３）。
【００４３】
ステップＳ２０４において、無線基地局ｅＮＢは、Ｐａｇｉｎｇに「ＥＴＷＳ  Ｉｎｄｉｃａｔｉｏｎ  ＩＥ（ＴＲＵＥ）」及び「Ｓｙｓｔｅｍ  Ｉｎｆｏ  Ｍｏｄｉｆｉｃａｔｉｏｎ  ＩＥ（ＴＲＵＥ）」を設定して、移動局ＵＥに対して、かかるＰａｇｉｎｇを送信する。
【００４４】
以上に述べた本実施形態の特徴は、以下のように表現されていてもよい。
【００４５】
本実施形態の第１の特徴は、無線基地局ｅＮＢが各「Ｍｏｄｉｆｉｃａｔｉｏｎ  Ｐｅｒｉｏｄ（変更期間）」において同一のＳＩＢ１〜ＳＩＢ１１（報知情報）を繰り返し送信するように構成されている移動通信システムで用いられる移動局ＵＥであって、無線基地局ｅＮＢによって送信されるＰａｇｉｎｇ（ページング信号）を受信するように構成されているページング信号受信部２１と、ＳＩＢ１〜ＳＩＢ１１を受信するように構成されている報知情報受信部２２とを具備しており、ページング信号受信部２１が、受信したＰａｇｉｎｇ内に「ＥＴＷＳ  Ｉｎｄｉｃａｔｉｏｎ  ＩＥ（ＴＲＵＥ）（緊急情報を送信する旨を示す指示情報）」が含まれていることを検出した場合、報知情報受信部２２は、次の「Ｍｏｄｉｆｉｃａｔｉｏｎ  Ｐｅｒｉｏｄ」の到来を待たずに、更新されたＡＣＢ情報（アクセス規制情報）を含むＳＩＢ２を取得するように構成されていることを要旨とする。
【００４６】
かかる構成によれば、移動局ＵＥが、ＥＴＷＳ情報を取得した「Ｍｏｄｉｆｉｃａｔｉｏｎ  Ｐｅｒｉｏｄ」内で、ＡＣＢ情報についても取得することができるため、ＥＴＷＳ情報の送信時における「ＲＲＣ_Ｉｄｌｅ状態」の移動局ＵＥの「ＲＲＣ_Ｃｏｎｎｅｃｔｅｄ状態」への遷移に起因するアクセスバーストの多発を回避することができる。
【００４７】
本実施形態の第２の特徴は、無線基地局ｅＮＢであって、各「Ｍｏｄｉｆｉｃａｔｉｏｎ  Ｐｅｒｉｏｄ」において同一のＳＩＢ１〜ＳＩＢ１１を繰り返し報知するように構成されている送信部１２を具備し、「ＥＴＷＳ  Ｗａｒｎｉｎｇ  Ｍｅｓｓａｇｅ（緊急情報を送信するように指示するメッセージ）」が受信された場合、送信部１２は、Ｐａｇｉｎｇによって「ＥＴＷＳ  Ｉｎｄｉｃａｔｉｏｎ  ＩＥ（ＴＲＵＥ）」を送信し、次の「Ｍｏｄｉｆｉｃａｔｉｏｎ  Ｐｅｒｉｏｄ」の到来を待たずに更新されたＡＣＢ情報をＳＩＢ２によって報知するように構成されていることを要旨とする。
【００４８】
かかる構成によれば、移動局ＵＥに対して、ＥＴＷＳ情報を送信した「Ｍｏｄｉｆｉｃａｔｉｏｎ  Ｐｅｒｉｏｄ」内で、ＡＣＢ情報についても送信することができるため、ＥＴＷＳ情報の送信時における「ＲＲＣ_Ｉｄｌｅ状態」の移動局ＵＥの「ＲＲＣ_Ｃｏｎｎｅｃｔｅｄ状態」への遷移に起因するアクセスバーストの多発を回避することができる。
【００４９】
本実施形態の第２の特徴において、送信部１２は、「ＥＴＷＳ  Ｉｎｄｉｃａｔｉｏｎ  ＩＥ（ＴＲＵＥ）」を送信する際に、Ｐａｇｉｎｇによって「Ｓｙｓｔｅｍ  Ｉｎｆｏ  Ｍｏｄｉｆｉｃａｔｉｏｎ  ＩＥ（ＴＲＵＥ）（次の変更期間において報知情報を変更することを示す情報）」を送信するように構成されていてもよい。
【００５０】
かかる構成によれば、本実施形態に係る発明の機能を具備していない移動局ＵＥが、次の「Ｍｏｄｉｆｉｃａｔｉｏｎ  Ｐｅｒｉｏｄ」において、ＥＴＷＳ情報に関連する必要な情報を取得することができる。
【００５１】
本実施形態の第２の特徴において、送信部１２は、「ＥＴＷＳ  Ｉｎｄｉｃａｔｉｏｎ」を送信する際に、「Ｓｙｓｔｅｍ  Ｉｎｆｏ  Ｖａｌｕｅ  Ｔａｇ（報知情報が更新されるたびに更新されるタグ情報）」を更新するように構成されていてもよい。
【００５２】
かかる構成によれば、本実施形態に係る発明の機能を具備していない移動局ＵＥや、Ｐａｇｉｎｇの受信に失敗した移動局ＵＥや、ＲＬＦ（Ｒａｄｉｏ  Ｌｉｎｋ  Ｆａｉｌｕｒｅ）から復帰する移動局ＵＥが、現在の「Ｍｏｄｉｆｉｃａｔｉｏｎ  Ｐｅｒｉｏｄ」において、ＡＣＢ情報を取得することができる。
【００５３】
本実施形態の第２の特徴において、送信部１２は、「ＥＴＷＳ  Ｉｎｄｉｃａｔｉｏｎ」を送信する際に、「Ｓｙｓｔｅｍ  Ｉｎｆｏ  Ｖａｌｕｅ  Ｔａｇ」を更新しないように構成されていてもよい。
【００５４】
Ｐａｇｉｎｇを介して「Ｓｙｓｔｅｍ  Ｉｎｆｏ  Ｍｏｄｉｆｉｃａｔｉｏｎ  ＩＥ（ＴＲＵＥ）」を受信しても「Ｓｙｓｔｅｍ  Ｉｎｆｏ  Ｖａｌｕｅ  Ｔａｇ」をチェックするように構成されている本実施形態に係る発明の機能を具備していない移動局ＵＥが存在する場合、「ＥＴＷＳ  Ｉｎｄｉｃａｔｉｏｎ」を送信する際に、「Ｓｙｓｔｅｍ  Ｉｎｆｏ  Ｖａｌｕｅ  Ｔａｇ」を更新すると、かかる移動局ＵＥにおいて競合処理が発生してしまう可能性がある。
【００５５】
かかる構成によれば、かかる移動局ＵＥに対するインパクトを最低限にすることができる。
【００５６】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００５７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００５９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６０】
ｅＮＢ…無線基地局
１１…受信部
１２…送信部
ＵＥ…移動局
２１…ページング信号受信部
２２…報知情報受信部
【図１】
2014135596.tif 000003
【図２】
2014135596.tif 000004
【図３】
2014135596.tif 000005
【図４】
2014135596.tif 000006
【図５】
2014135596.tif 000007
【図６】
2014135596.tif 000008
【図７】
2014135596.tif 000009